(57)【特許請求の範囲】
【請求項１】
イメージにテキストをマッピングしてテキストアイコンとして登録する過程と、
テキスト入力モードにおける入力ウィンドウに対するロングタッチ（ｌｏｎｇ  ｔｏｕｃｈ）を検知したか否かをチェックする過程と、
テキスト入力モードにおける入力ウィンドウに対するロングタッチを検知した場合、予め登録されたテキストアイコンリストを含むポップアップウィンドウを画面に表示する過程と、
前記ポップアップウィンドウに含まれた予め登録されたテキストアイコンリストのうち一つのテキストアイコンが選択される過程と、
前記選択されたテキストアイコンにマッピングされたテキストを入力ウィンドウに入力する過程と、を含み、
前記イメージは携帯用端末機のカメラによりキャプチャーされ、
前記テキストアイコンリストは、キーボード形態に表示されることを特徴とする携帯用端末機におけるテキスト入力方法。
【請求項２】
前記入力過程の前に、  
前記選択されたテキストアイコンにマッピングされたテキストを検索する過程と、  
前記画面のポップアップウィンドウの表示を除去する過程と、を更に含むことを特徴とする請求項１に記載の携帯用端末機におけるテキスト入力方法。
【請求項３】
前記ポップアップウィンドウを介して予め登録されたテキストアイコンリストのうち所定個数のテキストアイコンのみが一度に表示され、ページスクロール機能によって残りのテキストアイコンが表示されることを特徴とする請求項１に記載の携帯用端末機におけるテキスト入力方法。
【請求項４】
テキストアイコン登録メニューが選択された場合、画面に入力ウィンドウを表示する過程と、
前記画面に表示された入力ウィンドウを介して、登録しようとするテキストアイコンにマッピングされるテキストを入力する過程と、  
前記テキストの入力が完了した場合、画面にイメージリストを表示する過程と、  
前記画面に表示されたイメージリストのうち、登録しようとするテキストアイコンにマッピングされるイメージを選択する過程と、を更に含むことを特徴とする請求項１に記載の携帯用端末機におけるテキスト入力方法。
【請求項５】
イメージにテキストをマッピングしてテキストアイコンとして登録するアイコンの登録・管理部と、
テキスト入力モードにおける入力ウィンドウに対するロングタッチを検知したか否かをチェックする入力部と、
テキスト入力モードにおける入力ウィンドウに対するロングタッチを検知した場合、予め登録されたテキストアイコンリストを含むポップアップウィンドウを画面に表示する表示部と、を含み、
ここで、前記テキストアイコンの登録・管理部は、前記ポップアップウィンドウに含まれた予め登録されたテキストアイコンリストのうち一つのテキストアイコンが選択された場合、前記選択されたテキストアイコンにマッピングされたテキストを入力ウィンドウに入力し、
前記イメージは携帯用端末機のカメラによりキャプチャーされ、前記テキストアイコンリストは、キーボード形態に表示されることを特徴とする携帯用端末機におけるテキスト入力装置。
【請求項６】
前記テキストアイコンの登録・管理部は、前記選択されたテキストアイコンにマッピングされたテキストを検索し、
前記表示部は、前記ポップアップウィンドウに含まれた予め登録されたテキストアイコンリストのうち一つのテキストアイコンが選択された場合、前記画面のポップアップウィンドウの表示を除去することを特徴とする請求項５に記載の携帯用端末機におけるテキスト入力装置。
【請求項７】
前記ポップアップウィンドウを介して予め登録されたテキストアイコンリストのうち所定個数のテキストアイコンのみが一度に表示され、ページスクロール機能によって残りのテキストアイコンが表示されることを特徴とする請求項５に記載の携帯用端末機におけるテキスト入力装置。
【請求項８】
前記表示部は、テキストアイコン登録メニューが選択される際、画面に入力ウィンドウを表示し、
前記入力部は、前記画面に表示された入力ウィンドウを介して、登録しようとするテキストアイコンにマッピングされるテキストを入力し、
前記表示部は、前記テキストの入力が完了した場合、画面にイメージリストを表示し、
前記入力部は、前記画面に表示されたイメージリストのうち、登録しようとするテキストアイコンにマッピングされたイメージを選択することを特徴とする請求項５に記載の携帯用端末機におけるテキスト入力装置。
【発明の詳細な説明】
【技術分野】
【０００１】
本発明は携帯用端末機に係り、より詳しくは、携帯用端末機におけるテキストアイコンを利用したテキストを入力するための装置及びその方法に関する。
【背景技術】
【０００２】
通常、携帯用端末機の使用者は、テキストを入力するために端末のキーパッドを利用し、入力しようとするテキストに対応するキーを押すことで望みのテキストを入力する。
このような方法では、使用者がテキストを入力する際、キーを間違って押して希望しないテキストが入力されたり、キーパッドモードの転換のために数多くの段階を経なければならないなどの問題がある
【０００３】
例えば、携帯用端末機を利用してアプリケーションやインターネットサイトを利用する場合、図１のように、使用者はログインのための電子メールアドレスの入力を要求される場合がある。
このような場合、使用者は電子メールアドレスの入力のため、いくつかのキーパッドモードの転換を行わなければならない。
【０００４】
例えば、電子メールアドレスが「ｈａ３８３１７＠ｈａｎｍａｉｌ．ｎｅｔ」であるとすると、携帯用端末機の使用者は、まず韓国語キーパッドを英文キーパッドに転換し、さらに英文キーパッドを数字キーパッドに変更し、再び数字キーパッドを記号キーパッドに変更し、さらにまた記号キーパッドを英文キーパッドに変更しなければならない。  
このように、従来技術による携帯用端末機におけるテキスト入力方法は、複雑な手順を必要とし、これによってテキスト入力に多くの時間が所用されるという問題点があった。  
【先行技術文献】
【特許文献】
【０００５】
【特許文献１】韓国特許公開第１０−２００６−０００８３９６号公報
【発明の概要】
【発明が解決しようとする課題】
【０００６】
本発明は、上記問題点に鑑みてなされたものであって、本発明の目的は、携帯用端末機において簡単な操作でテキスト入力ができ、テキストの入力時間を減らし、正確にテキストを入力することができるテキストアイコンを利用したテキスト入力装置及びその方法を提供することにある。  
【課題を解決するための手段】
【０００７】
本発明の実施形態に係る携帯用端末機におけるテキスト入力方法は、イメージにテキストをマッピングしてテキストアイコンとして登録する過程と、テキスト入力モードにおける入力ウィンドウに対するロングタッチを検知したか否かをチェックする過程と、テキスト入力モードにおける入力ウィンドウに対するロングタッチを検知した場合、予め登録されたテキストアイコンリストを含むポップアップウィンドウを画面に表示する過程と、ポップアップウィンドウに含まれた予め登録されたテキストアイコンリストのうち一つのテキストアイコンが選択される過程と、選択されたテキストアイコンにマッピングされたテキストを入力ウィンドウに入力する過程と、を含み、前記イメージは携帯用端末機のカメラによりキャプチャーされ、前記テキストアイコンリストは、キーボード形態に表示されることを特徴とする。
【０００８】
また、本発明の実施形態に係る携帯用端末機におけるテキストの入力装置は、イメージにテキストをマッピングしてテキストアイコンとして登録するテキストアイコン登録及び管理部と、テキスト入力モードにおける入力ウィンドウに対するロングタッチを検知したか否かをチェックする入力部と、テキスト入力モードにおける入力ウィンドウに対するロングタッチを検知した場合、予め登録されたテキストアイコンリストを含むポップアップウィンドウを画面に表示する表示部と、を含み、テキストアイコンの登録・管理部は、ポップアップウィンドウに含まれた予め登録されたテキストアイコンリストのうち一つのテキストアイコンが選択された場合、選択されたテキストアイコンにマッピングされたテキストを入力ウィンドウに入力し、前記イメージは携帯用端末機のカメラによりキャプチャーされ、前記テキストアイコンリストは、キーボード形態に表示されることを特徴とする。
【図面の簡単な説明】
【０００９】
【図１】従来の携帯用端末機におけるテキストを入力するための方法を示す例示図である。
【図２】本発明の実施形態に係る携帯用端末機の構成を示すブロック図である。
【図３】本発明の実施形態に係る携帯用端末機において、予め登録されたテキストアイコンに基づいてテキストを入力するための方法を示す例示図である。
【図４】本発明の実施形態に係る携帯用端末機において、テキスト入力のためのテキストアイコンの登録方法を示すフローチャートである。
【図５】本発明の実施形態に係る携帯用端末機において、予め登録されたテキストアイコンに基づいてテキストを入力するための方法を示すフローチャートである。
【発明を実施するための形態】
【００１０】
以下、添付した図面を参照して本発明の実施形態に係る動作原理を詳細に説明する。下記の詳細な説明において、関連する公知機能又は構成に対する具体的な説明が、本発明の要旨を不明確にする恐れがあると判断される場合には、その詳細な説明は省略した。また、詳細の説明において用いられる用語は、本発明における機能を考慮して定義された用語であり、これは使用者、操作者の意図又は慣例などによって異なり得る。従って、その定義は、本明細書全般にかかる内容に基づいて理解されるべきである。  
【００１１】
以下、本発明の実施形態に係る携帯用端末機におけるテキストアイコンを利用してテキストを入力するための方法について詳述する。
以下の説明において、携帯用端末機は、テキストの入力が可能な端末機である全ての情報通信機器及びマルチメディア機器と、それに対する応用機器に適用可能であるが、通信機能が内蔵された移動通信端末機、移動電話機、デジタル放送（Ｄｉｇｉｔａｌ  Ｂｒｏａｄｃａｓｔｉｎｇ）端末機、個人情報端末機（ＰＤＡ：Ｐｅｒｓｏｎａｌ  Ｄｉｇｉｔａｌ  Ａｓｓｉｓｔａｎｔｓ）、スマートフォン（Ｓｍａｒｔ  Ｐｈｏｎｅ）、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）端末機、ＣＤＭＡ（Ｃｏｄｅ  Ｄｉｖｉｓｉｏｎ  Ｍｕｌｔｉｐｌｅ  Ａｃｃｅｓｓ）端末機、ＧＳＭ（登録商標）（Ｇｌｏｂａｌ  Ｓｔａｎｄａｒｄ  ｆｏｒ  Ｍｏｂｉｌｅ  Ｃｏｍｍｕｎｉｃａｔｉｏｎ）端末機、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）端末機、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）端末機、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）端末機及びＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機などが好ましい。  
【００１２】
図２は、本発明の実施形態に係る携帯用端末機の構成のブロック図である。  
図に示したように、携帯用端末は、制御部２００、通信部２０２、入力部２０４、表示部２０６、テキストアイコンの登録・管理部２０８、メモリ２１０を含んで構成している。  
【００１３】
図２を参照すると、制御部２００は、携帯用端末機の全般的な動作の制御を行い、テキストアイコンを登録し、テキスト入力モードでテキストアイコンを選択してテキストアイコンにマッピングされたテキストを入力ウィンドウに入力するための機能を制御する。  
【００１４】
通信部２０２は、アンテナを介して入出力される無線信号を送受信処理する機能を行う。例えば、送信の場合、送信する基底帯域信号をＲＦ（Ｒａｄｉｏ  Ｆｒｅｑｕｅｎｃｙ）帯域信号としてアップ変換し、アンテナを介して送信し、受信の場合、アンテナを介して受信されるＲＦ帯域信号を基底帯域信号としてダウン変更し、データを復元する。
【００１５】
入力部２０４は、数字キーと多数の機能キーを具備し、使用者が押すキーに対応するキー入力データを制御部２００に提供する。  
表示部２０６は、携帯用端末機の動作の途中で発生する状態情報、指定された数字、多量の動画及び静止画像などをディスプレイに表示する。
ここで、表示部２０６は、タッチスクリーンで具現されていてもよく、その場合、表示部２０６は、使用者のタッチを検知してタッチが発生した領域の座標を検出し、検出した座標を制御部２００に提供するようにしてもよい。
【００１６】
テキストアイコンの登録・管理部２０８は、イメージにテキストをマッピングしてテキストアイコンとして登録し、テキスト入力モードにける入力ウィンドウに対するロングタッチを検知した場合、予め登録されたテキストアイコンリストを含むポップアップウィンドウを画面に表示し、そのうち一つのテキストアイコンが選択されれば、選択されたテキストアイコンにマッピングされたテキストを入力ウィンドウに入力する。  
【００１７】
メモリ２１０は、制御部２００の処理及び制御のためのプログラムのマイクロコード、各種参照データ、各種プログラムを行う途中に発生する一時的なデータ、更新可能な各種保管用データなどをセーブし、特に、登録されたテキストアイコンをセーブする。  
【００１８】
図３は、本発明の実施形態に係る携帯用端末機における予め登録されたテキストアイコンに基づいてテキストを入力するための方法を示す例示図である。  
図３を参照すると、端末は、イメージにテキストをマッピングしてテキストアイコンとして登録し、テキスト入力モードにおける入力ウィンドウに対するロングタッチを検知した場合、予め登録されたテキストアイコンリストを含むポップアップウィンドウを画面に表示し、そのうち一つのテキストアイコンが選択されれば、選択されたテキストアイコンにマッピングされたテキストを入力ウィンドウに入力する。  
【００１９】
例えば、端末は、「Ｍ」という文字イメージのテキストアイコンに電子メールアドレスである「ｈａ３８３１７＠ｈａｎｍａｉｌ．ｎｅｔ」をマッピングし、「Ｈ」という文字イメージのテキストアイコンに居住地の住所である「京畿道水原市霊通区梅灘３洞三星電子デジタル研究所２５階」をマッピングして、メモリにセーブ及び登録することができる。
また、端末は「４」という数字イメージのテキストアイコンに、挨拶言葉である「おはようございます。米州Ｈ／Ｗ開発２グループのチョ・デヨンです」をマッピングし、その他にも多様なイメージのテキストアイコンに希望するテキストをマッピングしてメモリにセーブ、登録することができる。  
【００２０】
このように、端末は、テキスト入力モードにおける入力ウィンドウに対するロングタッチを検知した場合、登録されたテキストアイコンリストを含むポップアップウィンドウを画面に表示することができる。
例えば、使用者は、アプリケーションやその他のインターネットサイトを利用する際に、入力ウィンドウに電子メールアドレスを入力するため、ポップアップウィンドウを介して画面に表示されるテキストアイコンリストのうち「Ｍ」という文字イメージのテキストアイコンを選択してもよい。この場合、端末は、選択された「Ｍ」という文字イメージのテキストアイコンにマッピングされた電子メールアドレス「ｈａ３８３１７＠ｈａｎｍａｉｌ．ｎｅｔ」をメモリから検索し、入力ウィンドウに入力する。  
【００２１】
図４は、本発明の実施形態に係る携帯用端末機におけるテキスト入力のためのテキストアイコンの登録方法を示すフローチャートである。  
図４を参照すると、端末は、ステップ４０１において、使用者のキー操作に応じてテキストアイコン登録メニューが選択されたか否かをチェックする。  
ステップ４０１で、テキストアイコン登録メニューが選択されたと判断した場合、端末は、ステップ４０３において、登録しようとするテキストアイコンにマッピングされるテキストを入力するため、画面に入力ウィンドウを表示する。  
【００２２】
次に、端末は、ステップ４０５において、画面に表示された入力ウィンドウを介してテキストが入力されたか否かをチェックする。  
ステップ４０５で、画面に表示された入力ウィンドウを介してテキストが入力されたと判断した場合、端末は、ステップ４０７において、登録しようとするテキストアイコンにマッピングされるイメージを選択するため、画面にイメージリストを表示する。ここで、イメージリストは、使用者が希望するイメージを選択できるように多様なイメージを含むようにすることが好ましい。
【００２３】
また、登録しようとするテキストアイコンにマッピングされるイメージを選択するための他の方法として、端末は、カメラを駆動して使用者のキー操作に応じて撮影されるイメージを獲得してもよく、この場合、ステップ４０７及びステップ４０９は省略してもよい。  
【００２４】
次に、端末は、ステップ４０９において、画面に表示されたイメージリストのうち一つのイメージが選択されたか否かをチェックする。  
ステップ４０９で、画面に表示されたイメージリストのうち一つのイメージが選択されたと判断した場合、端末は、ステップ４１１において、選択されたイメージに入力されたテキストをマッピングし、テキストアイコンとして登録する。  
その後、端末は、本発明の実施形態に係るアルゴリズムを終了する。  
【００２５】
図５は、本発明の実施形態に係る携帯用端末機において、予め登録されたテキストアイコンに基づいてテキストを入力するための方法を示すフローチャートである。  
図５を参照すると、端末は、ステップ５０１において、使用者のキー操作に応じてテキスト入力モードに進入し、画面に入力ウィンドウを表示する。  
【００２６】
次に、端末は、ステップ５０３において、画面に表示された入力ウィンドウに対するロングタッチを検知したか否かをチェックする。  
ステップ５０３において、予め決められた時間の間に、画面に表示された入力ウィンドウに対するロングタッチが検知されなかったと判断した場合、端末は、ステップ５０１に戻り、ステップ５０１以降のステップを繰り返し行う。  
【００２７】
一方、ステップ５０３において、画面に表示された入力ウィンドウに対するロングタッチが検知されたと判断した場合、端末は、ステップ５０５において、予め登録されたテキストアイコンリストを含むポップアップウィンドウを画面表示する。
ここで、端末は、ポップアップウィンドウを介して一度に表示されるテキストアイコンの個数を所定個数に維持し、ページスクロール機能を介して隠されたテキストアイコンを表示してもよい。
例えば、予め登録されたテキストアイコンが合計１０個であれば、端末はまず一列に１〜７番目のテキストアイコンを表示し、ページスクロール機能によって次の８〜１０番目のアイコンを表示するようにしてもよい。  
【００２８】
次に、端末は、ステップ５０７において、画面に表示された予め登録されたテキストアイコンリストのうち一つのテキストアイコンが選択されたか否かをチェックする。
ステップ５０７で、画面に表示された予め登録されたテキストアイコンリストのうち一つのテキストアイコンが選択されたと判断した場合、端末は、ステップ５０９において選択されたテキストアイコンにマッピングされたテキストを検索する。  
そして、端末は、ステップ５１１において、画面のポップアップウィンドウの表示を除去し、検索されたテキストを入力ウィンドウに入力する。  
その後、端末は、本発明の実施形態に係るアルゴリズムを終了する。  
【００２９】
本発明によれば、携帯用端末機において、イメージにテキストをマッピングしてテキストアイコンとして登録し、テキスト入力モードにおける入力ウィンドウに対するロングタッチを検知した場合、予め登録されたテキストアイコンリストを含むポップアップウィンドウを画面に表示し、そのうち一つのテキストアイコンが選択されれば、選択されたテキストアイコンにマッピングされたテキストを入力ウィンドウに入力するための方法が提供される。
【００３０】
本発明によれば、簡単な手順（２回のタッチ）で入力できるので、テキストの入力時間を減らすことができ、正確にテキストを入力することができるという利点がある。
特に、使用頻度の高い入力情報に対して、毎回全ての文字をいちいち入力したり、コピーして貼り付ける必要がなく簡便に入力することができるので、使用者の利便性が増大するという利点がある。  
【００３１】
これまで述べてきたように、本発明の詳細な説明では、具体的な実施形態に関して説明したが、本発明の範囲を逸脱しない範囲内で多様な変形が可能であることはもちろんである。
従って、本発明の範囲は、説明した実施形態に限られるものではなく、後述する特許請求の範囲及び特許請求の範囲と均等なものによって決められるべきものである。
【符号の説明】
【００３２】
２００          制御部
２０２          通信部
２０４          入力部
２０６          表示部
２０８          テキストアイコンの登録・管理部
２１０          メモリ
【図１】
0006000542.tif 000002
【図２】
0006000542.tif 000003
【図３】
0006000542.tif 000004
【図４】
0006000542.tif 000005
【図５】
0006000542.tif 000006